(57)【要約】【課題】物品に取り付けられて物品の盗難を防止する自鳴式盗難防止装置において、物品に取り付けられずに保管されている間や搬送される間において監視状態となることを回避すると共に、経済性及び操作性も向上させる。【解決手段】警報音を発する警報部１５と、自鳴式盗難防止装置１が物品に取り付けられているか否かによって状態が変化する検出スイッチ１２と、検出スイッチ１２の状態に応じて警報部１５を制御する制御部１４と、自鳴式盗難防止装置１が物品に取り付けられた状態において露出する露出部１１に設けられその頂部１３０が露出部１１と面一か露出部１１より陥没した位置にあり制御部１４が検出スイッチ１２の状態を認識可能な監視状態とするためのセットスイッチ１３とを少なくとも備え、物品に取り付けられた状態でもセットスイッチ１３を操作できるようにすると共に保管時や搬送時にセットスイッチ１３が押圧されても監視状態にならないようにする。【選択図】図６
2009301384.tif 000002
【特許請求の範囲】
【請求項１】
物品の盗難を防止するために物品に取り付けられて使用される自鳴式盗難防止装置であって、
警報音を発する警報部と、
前記自鳴式盗難防止装置が物品に取り付けられているか否かによって状態が変化する検出スイッチと、
該検出スイッチの状態に応じて前記警報部を制御する制御部と、
前記自鳴式盗難防止装置が物品に取り付けられた状態において露出する露出部に設けられ、頂部が該露出部と面一か該露出部より陥没した位置にあり、前記制御部を前記検出スイッチの状態を認識可能な監視状態にセットするセットスイッチと
を少なくとも備えた
自鳴式盗難防止装置。
【請求項２】
前記検出スイッチは、前記物品に密着する取付面に出没自在に設けられ、前記物品に取り付けられた状態で前記物品によって押圧されて没入し、
前記セットスイッチが設けられる露出部は、前記取付面以外の面である
請求項１に記載の自鳴式盗難防止装置。
【発明の詳細な説明】
【技術分野】
【０００１】
本発明は、各種物品の盗難防止のために物品に取り付けられる自鳴式盗難防止装置に関する。
【背景技術】
【０００２】
各種物品の販売店等では、物品の盗難防止のために、各物品に自鳴式盗難防止装置が取り付けられて使用されている。この自鳴式盗難防止装置は、陳列される物品に貼り付けたり、ラップで巻き付けたり、バンドで結びつけたりすることによって物品に固定されるもので、監視状態にセットされた自鳴式盗難防止装置が取り付けられたままの状態で物品が店舗の出入口に設けられたゲートを通過しようとすると、自鳴式盗難防止装置がゲートからの電波を受信して内蔵したブザーが鳴る等して店員に報知し、盗難を未然に防止している。一方、自鳴式盗難防止装置には、不正に物品から取り外されたことを検知するための検出スイッチを備えており、物品から取り外されたことを検出スイッチが検出した場合にも、ブザーを鳴らして店員に知らせることができる。
【０００３】
上記検出スイッチとしては、ケースから突出されるように付勢され、突出した状態では物品から不正に取り外されたとしてブザーが鳴り、物品に取り付けられた状態では物品によって押圧されてブザーが鳴らないようにした構成のものが知られている。しかし、このタイプの検出スイッチを備えた自鳴式盗難防止装置は、当初は検出スイッチのほかに監視状態と非監視状態とを切り替えるためのセットスイッチを備えており、このセットスイッチを機械的なキーによって操作していたが、キーがコピーされると、そのキーによって監視状態が解除されてしまうという問題があった。そこで、機械的なキーではなく、リモコンを用いて監視状態と非監視状態とを切り替えるタイプのものも考案された。
【０００４】
ところが、リモコンを用いるタイプの自鳴式盗難防止装置では、検出スイッチとリモコンとを別々に操作しなければならないため、操作性が悪いという問題があったため、このような不都合を解消するためのものとして、検出スイッチがセットスイッチを兼ねる構成のものが考案された。検出スイッチがセットスイッチを兼ねているタイプのものでは、自鳴式盗難防止装置を物品に取り付けるとケースから突出したスイッチが物品によって押圧され、そのことが検出されて監視状態にセットされるものが知られている（例えば特許文献１参照）。
【０００５】
【特許文献１】特開２００２−８１５２号公報
【発明の開示】
【発明が解決しようとする課題】
【０００６】
しかし、スイッチが押圧されて監視状態となる構成の自鳴式盗難防止装置は、物品に取り付けずに保管されている間や搬送中においても、なんらかの力が加わることによりスイッチが押圧されてしまい、監視状態となってしまうおそれがあった。そして、一度監視状態となってから押圧が解除されると、警報が鳴り続けてしまうという問題があった。
【０００７】
また、上記特許文献１では、スイッチが押圧されないようにするためのロック機構も提案されているが、構造が複雑であり、部品点数も多く、更には操作性が悪いという問題がある。
【０００８】
そこで、本発明は、物品に取り付けられて物品の盗難を防止する自鳴式盗難防止装置に関し、物品に取り付けられずに保管されている間や搬送される間において監視状態となることを回避すると共に、経済性及び操作性も向上させることを目的とする。
【課題を解決するための手段】
【０００９】
本発明は、物品の盗難を防止するために物品に取り付けられて使用される自鳴式盗難防止装置に関するもので、警報音を発する警報部と、自鳴式盗難防止装置が物品に取り付けられているか否かによって状態が変化する検出スイッチと、検出スイッチの状態に応じて警報部を制御する制御部と、自鳴式盗難防止装置が物品に取り付けられた状態において露出する露出部に設けられその頂部が露出部と面一か露出部より陥没した位置にあり制御部を検出スイッチの状態を認識可能な監視状態にセットするセットスイッチとを少なくとも備えることを特徴とする。
【００１０】
検出スイッチが、物品に密着する取付面に出没自在に設けられ、物品に取り付けられた状態で物品によって押圧されて没入するタイプのものである場合は、セットスイッチが設けられる露出部は、取付面以外の面である。
【発明の効果】
【００１１】
本発明は、セットスイッチの頂部が露出部と面一か露出部より陥没した位置にあるため、保管時や搬送時にスイッチが押圧されて監視状態になってしまうのを防止することができる。また、検出スイッチとは別に、自鳴式盗難防止装置が物品に取り付けられた状態でも露出する露出部にセットスイッチが設けられているため、簡便で経済的な構成でかつ、操作性も良好である。
【００１２】
検出スイッチが物品に密着する取付面に出没自在に設けられ、物品に取り付けられた状態で物品によって押圧され没入してオンとなるタイプの自鳴式盗難防止装置においては、セットスイッチが設けられる露出部を取付面以外の面とすることにより、監視状態にセットする際の操作性が高くなる。
【発明を実施するための最良の形態】
【００１３】
図１に示す自鳴式盗難防止装置１は、店舗に陳列されて販売等される物品２の盗難を防止するために、物品２に取り付けられて使用されるもので、監視状態と非監視状態のいずれかの状態をとる。監視状態とは、物品２が店外に持ち出されたり物品２から自鳴式盗難防止装置１が不正に取り外されたりしたことを検知して店員に報知する監視機能が稼働している状態である。一方、非監視状態とは、当該監視機能が稼働していない状態である。
【００１４】
自鳴式盗難防止装置１は、取り付け対象の物品に密着する面である取付面１０を備えており、取付面１０以外の面は、物品２に取り付けられた状態においても物品２に密着せずに露出している露出部１１を構成している。
【００１５】
取付面１０には、自鳴式盗難防止装置１が物品２に取り付けられているか否かによって状態が変化する検出スイッチ１２を備えている。この検出スイッチ１２は、出没自在に構成され、取付面１０から突出するように付勢されており、図２に示すように、自鳴式盗難防止装置１の取付面１０を物品２に密着させると、物品２によって押圧されて検出スイッチ１２が没入する。一方、物品２に取り付けられていない状態では、図１のように突出状態となる。以下では、検出スイッチ１２が没入状態にある場合をオン、検出スイッチ１２が突出状態にある場合をオフとする。
【００１６】
図１及び図２に示すように、露出部１１には、自鳴式盗難防止装置１の監視機能のオンを行うセットスイッチ１３を備えている。セットスイッチ１３をオンにすると、検出スイッチ１２の状態により、物品２に取り付けられている状態か否かを監視する監視状態にセットされる。セットスイッチ１３は、例えば押しボタンスイッチであり、オン／オフいずれの状態においても、その頂部１３０が常に露出部１１と面一かまたは露出部１１より陥没した位置にあり、頂部１３０が露出部１１より突出することはない。したがって、保管時や搬送時にセットスイッチ１３が押圧されてしまい、意に反して監視状態になってしまうことがない。図１の例では取付面１０の背面側の面にセットスイッチ１３が配設されているが、セットスイッチ１３が配設される位置は、取付面１０以外の面で、物品に取り付けられた状態で露出している部分である露出部１１であれば、他の位置でもよい。すなわち、露出部１１は、物品に取り付けられた状態でもセットスイッチ１３を操作可能な位置であればよい。
【００１７】
自鳴式盗難防止装置１には、内部の回路によって検出スイッチ１２及びセットスイッチ１３と接続され、これらのスイッチの状態に応じた処理を行う制御部１４を備えている。制御部１４は、警報音を発する警報部１５及びアンテナ１６と接続され、検出スイッチ１２の状態に応じて警報部１５を制御して警報音を鳴らしたり、アンテナ１６から信号を受信した際に警報音を鳴らしたりする制御を行う。アンテナ１６は、店舗に設置されたゲート３及びリモコン４からの信号を受信することができる。セットスイッチ１３がオンとなることにより監視状態にセットされた制御部１４は、検出スイッチ１２の状態を認識することが可能となる。
【００１８】
ゲート３は、店舗の出入口付近に設置され、常時信号を発信しており、自鳴式盗難防止装置１がゲート付近を通過すると、アンテナ１６がその信号を受信し、警報部１５が警報を発する。一方、リモコン４は、店員のみが使用できるもので、監視状態を解除して非監視状態とするための信号を発信する機能を有している。監視状態から非監視状態とする機能を有するのは、このリモコン４のみである。
【００１９】
次に、図３のフローチャートに沿って自鳴式盗難防止装置１の動作について説明する。自鳴式盗難防止装置１は、起動後セットスイッチ１３が押下される前は、非監視状態にある（ステップＳ１）。非監視状態では、制御部１４が作動せず、検出スイッチ１２の状態も認識されないため、警報部１５から警報が発せられることもない。
【００２０】
取付面１０を物品２に当接させ、物品２に対して自鳴式盗難防止装置１を貼り付けたり、ラップで巻き付けたり、バンドで結びつけたりすることによって、物品２に自鳴式盗難防止装置１が固定されると、取付面１０にある検出スイッチ１２が物品２に押圧されて没入するが、この段階ではセットスイッチ１３がオフになっているため、非監視状態となっている。非監視状態ではセットスイッチ１３がオンになるのを待ち（ステップＳ２）、セットスイッチ１３が押下されてオンとなると、制御部１４が作動して監視状態となる（ステップＳ３）。
【００２１】
セットスイッチ１３がオンとなった監視状態においては、検出スイッチ１２がオンかオフか、アンテナ１６がゲート信号を受信したかどうか、リモコン４から発信された非監視状態とするためのオフ信号をアンテナ１６が受信したかどうかを制御部１４がチェックする。セットスイッチ１３がオンになってから検出スイッチ１２の状態を認識するようにすることで、自鳴式盗難防止装置１を物品２に装着し検出スイッチ１２をオンにしてからセットスイッチ１３をオンにして監視状態にするという操作が可能となる。検出スイッチ１２がオンになってからセットスイッチ１３をオンにするという操作が可能となるのは、自鳴式盗難防止装置１が物品２に取り付けられた状態でも露出する露出部１１に、検出スイッチ１２とは別にセットスイッチ１３が設けられているからである。更に、セットスイッチ１３をオンにするためにリモコンは必要とされないため、操作性が良い。
【００２２】
セットスイッチ１３がオンの状態で検出スイッチ１２がオンになっている間は、自鳴式盗難防止装置１が物品２に取り付けられていると制御部１４が判断する。一方、セットスイッチ１３がオンの状態で検出スイッチ１２がオフになると、そのことを制御部１４が検知し、自鳴式盗難防止装置１が物品２から不正に取り外されたと判断して警報部１５から警報を鳴らし、店員に報知する（ステップＳ４，Ｓ５）。
【００２３】
監視状態において、アンテナ１６がゲート３からゲート信号を受信したことを制御部１４が認識すると、自鳴式盗難防止装置１が取り付けられた状態の物品２が店舗から持ち出されようとしていると判断し、制御部１４による制御の下で警報部１５から警報音を発する（ステップＳ６，Ｓ５）。
【００２４】
検出スイッチ１２がオフになるかゲート信号を受信することによって警報が鳴ると、リモコン４からオフ信号が発信されるまでは、警報音が鳴り続ける（ステップＳ７）。このオフ信号は、リモコン４からのみ発信することができる信号であり、オフ信号をアンテナ１６が受信すると、制御部１４が非監視状態にする（ステップＳ１）。非監視状態では警報音も鳴らなくなる。警報が鳴っていない場合においても、アンテナ１６がオフ信号を受信すると、非監視状態となる（ステップＳ８，Ｓ１）。
【００２５】
このように、自鳴式盗難防止装置１は、検出スイッチ１２とは別に、自鳴式盗難防止装置１が物品２に取り付けられた状態でも露出する露出部１１にセットスイッチ１３が設けられているため、自鳴式盗難防止装置１を物品２に取り付けた後に監視状態に移行させる際の操作性が良好である。また、セットスイッチ１３の頂部１３０が露出部１１と面一か露出部１１より陥没した位置にあるため、保管時や搬送時にスイッチが押圧されて監視状態に
なってしまうのを防止することができる。
【００２６】
また、検出スイッチ１２が物品２に密着する取付面１０に出没自在に設けられ、物品２に取り付けられた状態で物品２によって押圧され没入してオンとなるため、セットスイッチ１３が設けられる露出部１１を取付面１０以外の面とすることにより、監視状態にセットする際の操作性が高くなる。
【００２７】
なお、物品が複数ある場合は、複数の物品にそれぞれ自鳴式盗難防止装置１を取り付けた後に、すべての自鳴式盗難防止装置のセットスイッチ１３をまとめてオンにして監視状態とすることもでき、この点でも操作性が良好である。
【００２８】
上記の例では、物品２に対して自鳴式盗難防止装置１を貼り付けたり、ラップで巻き付けたり、バンドで結びつけたりすることによって物品２に固定されて検出スイッチ１２が押下されるタイプの自鳴式盗難防止装置について説明したが、他の方法により物品に固定するタイプのものもある。
【００２９】
例えば、図４に示すようなワイヤータイプの自鳴式盗難防止装置５にも本発明が適用される。このワイヤータイプの自鳴式盗難防止装置５は、主として衣服や靴類等に取り付けられて使用されるもので、ワイヤー５０の一端５００が本体部５１に固定されていると共に他端５０１が本体部５１に対して着脱可能となっている。本体部５１には、ワイヤー５０の他端５０１が差し込まれて固定されたことを検出する検出スイッチ５２を備えており、この検出スイッチ５２が、図１に示した検出スイッチ１２と同様の機能を有する。この検出スイッチ５２において、ワイヤー５０が差し込まれているか否かは、例えば回路が導通しているか否かによって検出することができる。
【００３０】
また、検出スイッチ５２とは別に、セットスイッチ５３が露出部５４に設けられている。露出部５４は、ワイヤー５０の他端５０１が差し込まれる部分以外、すなわち自鳴式盗難防止装置５が物品に取り付けられた状態において露出する部分であり、図示の例では側部にセットスイッチ５３が配設されている。セットスイッチ５３の頂部５３０は、露出部５４と面一か露出部５４より陥没した位置にある。
【００３１】
ワイヤータイプの自鳴式盗難防止装置５の内部は、図１の自鳴式盗難防止装置１と同様に制御部、警報部及びアンテナを有しており、その内部における処理は、図３のフローチャートと同様に行われる。ワイヤータイプの自鳴式盗難防止装置５を対象となる物品に取り付ける際には、ワイヤー５０を物品に挿通させ、ワイヤー５０の他端５０１を本体部５１に差し込んで固定する。その後、セットスイッチ５３をオンにすると、監視状態となり、自鳴式盗難防止装置５が取り付けられた物品がゲートを通過したり、無理にワイヤー５０を引き抜いて検出スイッチ５２がオフになったりすると、警報音が鳴って店員に報知する。その他については、図１の自鳴式盗難防止装置１と同様である。
【００３２】
本発明は、図５に示すようなピンタイプの自鳴式盗難防止装置６にも適用される。このピンタイプの自鳴式盗難防止装置６は、ピン６０とピン６０が差し込まれる本体部６１とから構成され、ピン６０は本体部６１に対して着脱可能となっている。
【００３３】
本体部６１には、ピン６０が差し込まれているか否かを検出する検出スイッチ６２を備えており、この検出スイッチ６２は、図１に示した検出スイッチ１２と同様の機能を有する。この検出スイッチ６２において、ピン６０が差し込まれているか否かは、例えば回路が導通しているか否かによって検出することができる。
【００３４】
また、検出スイッチ６２とは別に、セットスイッチ６３が露出部６４に設けられている。露出部６４は、ピン６０の一端が差し込まれる部分以外、すなわち自鳴式盗難防止装置６が物品に取り付けられた状態において露出する部分であり、図示の例では検出スイッチ６２の反対側である底部にセットスイッチ６３が配設されている。セットスイッチ６３の頂部６３０は、露出部６４と面一か露出部６４より陥没した位置にある。
【００３５】
ピンタイプの自鳴式盗難防止装置６の内部は、図１の自鳴式盗難防止装置１と同様に制御部、警報部及びアンテナを有しており、その内部における処理は、図３のフローチャートと同様に行われる。ピンタイプの自鳴式盗難防止装置６を対象となる物品に取り付ける際には、ピン６０を物品に挿通させ、ピンの一端を本体部６１に差し込んで固定する。その後、セットスイッチ６３をオンにすると、監視状態となり、自鳴式盗難防止装置６が取り付けられた物品がゲートを通過したり、無理にピン６０を引き抜いて検出スイッチ６２がオフになったりすると、警報音が鳴って店員に報知する。その他については、図１の自鳴式盗難防止装置１と同様である。
【００３６】
本発明は、図６に示すようなケース固定タイプの自鳴式盗難防止装置７にも適用される。このケース固定タイプの自鳴式盗難防止装置７は、ＣＤ、ＤＶＤ等の物品８０が収納されたケース８に固定してロックされ物品８０に取り付けられるもので、ケース８に固定された状態でケース８または物品８０によって押圧される検出スイッチ７０を備えており、この検出スイッチ７０が、図１に示した検出スイッチ１２と同様の機能を有する。
【００３７】
また、セットスイッチ７１が露出部７２に設けられている。露出部７２は、自鳴式盗難防止装置７をケース８に固定してロックした状態において露出する部分であり、図示の例ではケース８に挿入される側の反対側の面にセットスイッチ７１が配設されている。セットスイッチ７１の頂部７１０は、露出部７２と面一か露出部７２より陥没した位置にある。
【００３８】
ケース固定タイプの自鳴式盗難防止装置７の内部は、図１の自鳴式盗難防止装置１と同様に制御部、警報部及びアンテナを有しており、その内部における処理は、図３のフローチャートと同様に行われる。ケース固定タイプの自鳴式盗難防止装置７は、物品が収納されたケース８の開口部に自鳴式盗難防止装置７を挿入してロックすることによってケース８に固定される。そして、自鳴式盗難防止装置７がケース８に固定されると、検出スイッチ７０が押下されてオンとなる。その後、セットスイッチ７１をオンにすると、監視状態となり、自鳴式盗難防止装置７が取り付けられた物品８０がゲートを通過したり、自鳴式盗難防止装置７を無理にケース８から抜いて検出スイッチ７０がオフになったりすると、警報音を鳴らして店員に報知する。その他については、図１の自鳴式盗難防止装置１と同様である。
【図面の簡単な説明】
【００３９】
【図１】自鳴式盗難防止装置の構成並びに物品、ゲート及びリモコンとの関係を示す説明図である。
【図２】自鳴式盗難防止装置が物品に固定された状態を示す説明図である。
【図３】自鳴式盗難防止装置における処理を示すフローチャートである。
【図４】自鳴式盗難防止装置の第２の例を示す正面図である。
【図５】自鳴式盗難防止装置の第３の例を示す正面図である。
【図６】自鳴式盗難防止装置の第４の例を示す正面図である。
【符号の説明】
【００４０】
１：自鳴式盗難防止装置
１０：取付面  １１：露出部  １２：検出スイッチ
１３：セットスイッチ  １３０：頂部
１４：制御部  １５：警報部  １６：アンテナ
２：物品  ３：ゲート  ４：リモコン
５：自鳴式盗難防止装置
５０：ワイヤー  ５１：本体部  ５２：検出スイッチ
５３：セットスイッチ  ５３０：頂部
５４：露出部
６：自鳴式盗難防止装置
６０：ピン  ６１：本体部  ６２：検出スイッチ
６３：セットスイッチ  ６３０：頂部
６４：露出部
７：自鳴式盗難防止装置
７０：検出スイッチ
７１：セットスイッチ  ７１０：頂部
７２：露出部
８：ケース  ８０：物品
【図１】
2009301384.tif 000003
【図２】
2009301384.tif 000004
【図３】
2009301384.tif 000005
【図４】
2009301384.tif 000006
【図５】
2009301384.tif 000007
【図６】
2009301384.tif 000008